(57)【特許請求の範囲】
【請求項１】
建物の周囲に、単管を縦横に組み合わせてなる足場が設けられ、該足場の横方向に設けられた単管にパネル留めクランプが装着され該パネル留めクランプに仮囲いパネルが装着される足場仮囲いにおいて、
前記仮囲いパネルは、矩形のパネル枠体と、該パネル枠体に架設され所定の位置に孔が形成された横桟と、前記パネル枠体の表面に覆設されたパネルボードを備え、
前記パネル留めクランプは、単管クランプと、該単管クランプの側方にブラケットを介して上方向に突出するように固着されて前記横桟の前記孔を挿通させる円柱状の掛具と、該掛具の上方向に突出している部分に形成されているネジ部に昇降自在に螺合された仮囲いパネルを支持するための支持部材を備えることを特徴とする足場仮囲い。
【発明の詳細な説明】
【０００１】
【発明の属する技術分野】
本発明は、住宅等の施工現場において、住宅等を囲むように設けられる足場仮囲いに関するものである。
【０００２】
【従来の技術】
従来の足場仮囲いは、図６に示すように、建物１の周囲に、単管が縦横に組み合わされてなる足場２が設けられ、該足場２に仮囲いパネル３が列設されてなるものであり、該仮囲いパネル３の裏面には、図７に示すように、４個の単管フック３ａが設けられており、該単管フック３ａを足場２の横方向の単管に各々引っ掛けることにより、仮囲いパネル３が足場２に掛着されるものとなっている。このように、建物１の周囲を足場仮囲いで覆うことにより、建築資材の飛散や内部の露呈が防止される。
【０００３】
【発明が解決しようとする課題】
しかし、従来の足場仮囲いでは、足場２の横方向の単管の高さにより、仮囲いパネル３の高さ位置が一義的に決定されるため、仮囲いパネル３が地面の凸部と干渉しないように、仮囲いパネル３の下端から地表面までにある程度の余裕を持たせているので、仮囲いパネル３の下側には空間が生じ、見栄えが悪いという問題があった。
【０００４】
また、傾斜地においては、図８に示すように、足場２の下端にジャッキベース４を介在させて足場２を水平に保持するが、該足場２に仮囲いパネル３を列設した場合には、図に示すように、ジャッキベース４で持ち上げた分だけ、さらに仮囲いパネル３の下側に大きな空間が生じ、見栄えが悪く、足場仮囲いの効果も減殺されるという問題があった。
【０００５】
また、仮囲いパネル３は、前記単管フック３ａで足場２の単管に引っ掛けられて掛着されるものであり、上方向に少し持ち上げられると該単管から容易に外れるので、作業者や運搬中の建築資材等が仮囲いパネル３に衝突した拍子に該単管から外れてしまうこともあり、安全上問題があった。
【０００６】
本発明は、かかる問題に鑑みてなされたものであり、簡便に着脱でき、かつ、仮囲いパネルの高さ調整を行うことができる足場仮囲いを提供することを目的とする。
【０００７】
【課題を解決するための手段】
上記目的を達成するために、請求項１記載の足場仮囲いは、建物の周囲に、単管を縦横に組み合わせてなる足場が設けられ、足場の横方向に設けられた単管にパネル留めクランプが装着されパネル留めクランプに仮囲いパネルが装着される足場仮囲いにおいて、仮囲いパネルは、矩形のパネル枠体と、パネル枠体に架設され所定の位置に孔が形成された横桟と、パネル枠体の表面に覆設されたパネルボードを備え、パネル留めクランプは、単管クランプと、単管クランプの側方にブラケットを介して上方向に突出するように固着されて横桟の孔を挿通させる円柱状の掛具と、掛具の上方向に突出している部分に形成されているネジ部に昇降自在に螺合された仮囲いパネルを支持するための支持部材を備えるようにしている。
【０００９】
【発明の実施の形態】
以下、本発明の実施の形態を図面に基づき具体的に説明する。
図１に示すように、本発明の実施の形態に係る足場仮囲い１００は、建物（図示せず）の周囲に、足場２が設けられ、該足場２の横方向に設けられた単管２ａに、パネル留めクランプ１０１が装着され、該パネル留めクランプ１０１に、仮囲いパネル１０２が掛着されてなるものである。
【００１０】
パネル留めクランプ１０１は、図２に示すように、単管クランプ１０と、該単管クランプの側方にブラケット１２を介して上方向に突出するように固着された掛具１１と、該掛具１１のネジ部１１ａに昇降自在に螺合された支持部材１３とを具備してなるものである。
なお、前記単管クランプ１０は、前記単管２ａの径に合致する周知かつ任意の形状のものを用いることができ、その詳細な構造についての説明は省略する。
【００１１】
前記掛具１１は、円柱状のものであって、上方向に突出している部分にネジ部１１ａが形成されている。掛具１１の径や長さは特に限定されるものではないが、掛止すべき仮囲いパネル１０２の重量や、高さ調整が必要となる範囲を考慮して、その径及び長さが決定される。
【００１２】
前記ブラケット１２は、掛具１１を単管クランプから一定の距離だけ離間させるために設けられたものであって、掛着されるべき仮囲いパネル１０２と足場２との位置関係等を考慮して、その大きさが決定されている。
【００１３】
前記支持部材１３は、掛止すべき仮囲いパネル１０２を支持するための環状のものであって、中空部に前記掛具１１のネジ部１１ａと螺合するためのネジ山が形成されており、該ネジ部１１ａと相俟って、パネル高さ調節機構を構成している。なお、支持部材１３は、仮囲いパネル１０２を支持できれば、その形状は特に環状のものに限定されるものではない。
【００１４】
一方、仮囲いパネル１０２は、図３に示すように、矩形のパネル枠体２１と、該パネル枠体２１に架設され、所定の位置に孔２０ａが形成された２つの横桟２０と、前記パネル枠体２１の表面に覆設されたパネルボード２２とを具備してなるものである。なお、前記パネル枠体２１及びパネルボード２２は、従来から用いられている周知の形状のものである。
【００１５】
前記各横桟２０は、Ｌ型のアングルで、その両端から一定の距離をおいて、上下方向に２ヶ所、孔２０ａが形成されている。該孔２０ａの径は、パネル留めクランプ１０１の掛具１１の径より大きなものである。各横桟２０は上下２段に一定距離をおいて設けられているが、該距離は、足場２の横方向に設けられた単管２ａ間の距離と略同一のものとなっている。
【００１６】
なお、孔２０ａは２ヶ所に限定されるものではないが、１ヶ所では仮囲いパネル１０２の安定性が悪くなり、３ヶ所以上ではパネル留めクランプ１０１等の設置作業が煩雑となるので、２ヶ所が好適である。また、横桟２０ａも必ずしも上下２段に設ける必要はないが、同様の理由により、上下２段に設けることが好適である。
【００１７】
以下、本足場仮囲い１００の設置方法について、図１及び図４を用いて説明する。
まず、建物の周囲において、単管を組み合わせて足場２を仮設し、図１に示すように、該足場２の横方向に設けられた単管２ａに、各パネル留めクランプ１０１を、掛具１１が上方向に突出するように装着する。ここでは、仮囲いパネル１０２が掛着されるべき位置を考慮して、仮囲いパネル１０２の横桟２０に形成された孔２０ａの位置と合致するような位置に、各パネル留めクランプ１０１の単管クランプ１０を仮留めする。
【００１８】
つぎに、仮留めされた各パネル留めクランプ１０１の支持部材１３を、予め定められた位置、例えば前記ネジ部１１ａの中央付近に位置せしめる。そして、各パネル留めクランプ１０１の掛具１１に、仮囲いパネル１０２の横桟２０の孔２０ａを各々挿通させることにより、仮囲いパネル１０２を足場２に掛着させる。なお、前記支持部材１３の位置合わせは、各パネル留めクランプ１０１を単管２ａに仮留めする前に行っておいてもよい。
【００１９】
つぎに、掛着された仮囲いパネル１０２が、隣合う仮囲いパネル１０２と密接し、かつ、仮囲いパネル１０２の下側に大きな空間が生じないように、各パネル留めクランプ１０１の位置、及び支持部材１３の位置を調節し、調節が済めば各パネル留めクランプ１０１を単管２ａにしっかりと固定する。
【００２０】
これにより、図４に示すように、単管２ａに装着されたパネル留めクランプ１０１の掛具１１が、仮囲いパネル１０２の横桟２０の孔２０ａに挿通され、かつ、支持部材１３が、該横桟２０を支持して、仮囲いパネル１０２が足場２に掛着される。
このように、足場２の周囲に沿って仮囲いパネル１０２を順次掛着することにより、建物の周囲に足場仮囲い１００が設置される。
【００２１】
一方、傾斜地に足場仮囲い１００を設置する場合には、以下のように行う。
まず、建物の周囲に足場２を仮設して、横方向の単管２ａにパネル留めクランプ１０１を仮留めした後、仮囲いパネル１０２を掛着するまでは、前述の設置方法と同様に行う。
【００２２】
つぎに、掛着された仮囲いパネル１０２の位置調節において、図５に示すように、傾斜地の上側にある仮囲いパネル１０２より高さ位置を低くして、すなわち、前記ネジ部１１ａに螺合されている支持部材１３を降下させて、傾斜地表面と掛着している仮囲いパネル１０２の下側との間に大きな空間が生じないように、仮囲いパネル１０２の高さ位置を調節する。調節が済めば、前述と同様に各パネル留めクランプ１０１を単管２ａにしっかりと固定する。これを順次繰り返すことにより、図に示すように、傾斜地に沿って仮囲いパネル１０２が列設される。
【００２３】
なお、平地と傾斜地とが連続するような場合には、前述した２通りの設置方法を適宜組み合わせて行うことにより、仮囲いパネル１０２の下側に大きな空間が生じないように、地表面の形状に沿って足場仮囲い１００を設置することができる。
【００２４】
このように、本実施の形態に係る足場仮囲い１００によれば、足場２の横方向に設けられた単管２ａに、単管クランプ１０と、該単管クランプ１０の側方から上向きに突出するように設けられた掛具１１と、該掛具１１のネジ部１１ａに昇降自在に螺合された支持部材１３とを備えてなるパネル留めクランプ１０１が装着され、該パネル留めクランプ１０１に、横桟２０に前記掛具１１が挿通されるべき孔２０ａが形成された仮囲いパネル１０２が掛着されるものとしたので、足場２に仮囲いパネル１０２を容易かつ簡便に掛着することができるとともに、足場仮囲い１００を設ける地表面の状態に応じて仮囲いパネル１０２の高さを調節することができ、仮囲いパネル１０２の下側に大きな空間が生じることがない。
【００２５】
また、パネル留めクランプ１０１の掛具１１により、仮囲いパネル１０２の上方向への位置ズレに対して余裕が生じ、仮囲いパネル１０２が多少持ち上げられたとしても、直ちに足場２から外れることがないので、足場仮囲い１００の安全性が向上される。
【００２６】
【発明の効果】
以上説明したように、本発明に係る足場仮囲いによれば、前記足場の横方向に設けられた単管に、単管クランプと、該単管クランプの側方から上向きに突出するように設けられた掛具とを備えてなるパネル留めクランプが装着され、該パネル留めクランプに、前記掛具が挿通されるべき孔が形成された横桟を備えてなる仮囲いパネルが掛着されたものとしたので、足場に仮囲いパネルを容易かつ簡便に掛着することができるとともに、パネル留めクランプの掛具により、仮囲いパネルの上方向への位置ズレに対して余裕が生じ、仮囲いパネルが多少持ち上げられたとしても、直ちに足場から外れることがないので、足場仮囲いの安全性が向上される。
【００２７】
また、本発明によれば、前記パネル留めクランプは、前記掛具の突出部分にネジが形成され、該ネジに、前記仮囲いパネルの横桟を支持する支持部材が昇降自在に螺合されてなるパネル高さ調節機構を有するので、足場仮囲いを設ける地表面の状態に応じて仮囲いパネルの高さを調節することができ、仮囲いパネルの下側に大きな空間が生じることがない。これにより、足場仮囲いの見栄えが良くなり、また、傾斜地においても足場仮囲いの効果を発揮させることができる。
【図面の簡単な説明】
【図１】本発明の実施の形態に係る足場仮囲い１００の構成を示す概略斜視図である。
【図２】パネル留めクランプ１０１の構成を示す概略斜視図である。
【図３】仮囲いパネル１０２の構成を示す概略斜視図である。
【図４】図１のＡ−Ａ拡大断面図である。
【図５】傾斜地における足場仮囲い１００の設置状態を示す模式図である。
【図６】従来の足場仮囲いを示す概略斜視図である。
【図７】仮囲いパネル３を示す概略斜視図である。
【図８】傾斜地における従来の足場仮囲いの設置状態を示す模式図である。
【符号の説明】
１  建物
１０  単管クランプ
１１  掛具
１１ａ  ネジ部
１３  支持部材
１００  足場仮囲い
１０１  パネル留めクランプ
１０２  仮囲いパネル
２  足場
２ａ  単管
２０  横桟
２０ａ  孔
【図１】
0003845257.tif 000002
【図２】
0003845257.tif 000003
【図３】
0003845257.tif 000004
【図４】
0003845257.tif 000005
【図５】
0003845257.tif 000006
【図６】
0003845257.tif 000007
【図７】
0003845257.tif 000008
【図８】
0003845257.tif 000009